(57)【要約】      （修正有）【課題】輸送中等の粘着ラベル貼付時には粘着ラベルが剥離・脱落することなく、かつ、粘着ラベルを剥がす際には粘着ラベルを軽い力で簡単に剥がすことができ、さらに、剥がした粘着ラベルが破れることなく粘着ラベルを再利用することができる、粘着ラベルを剥離自在に貼付するための粘着ラベル貼付部形成用シールを提供する。【解決手段】粘着ラベル貼付部形成用シール１は、所望の部材の表面に粘着ラベル５を剥離自在に貼付しうる部分を形成するためのシールであって、当該シールの表面には前記粘着ラベルの粘着面との接触面積を低減する微小な剥離用凸部４が複数個整列して形成されているとともに、前記各剥離用凸部４のうち一部の剥離用凸部４の表面に前記粘着ラベルを剥離しやすくする剥離剤が塗布されている。【選択図】図１
0003178777.tif 000002
【実用新案登録請求の範囲】
【請求項１】
所望の部材の表面に粘着ラベルを剥離自在に貼付しうる部分を形成するためのシールであって、当該シールの表面には前記粘着ラベルの粘着面との接触面積を低減する微小な剥離用凸部が複数個整列して形成されているとともに、前記各剥離用凸部のうち一部の剥離用凸部の表面に前記粘着ラベルを剥離しやすくする剥離剤が塗布されている粘着ラベル貼付部形成用シール。
【請求項２】
前記複数の剥離用凸部は所定の方向に沿って複数列に整列されており、各列の前記剥離用凸部は当該方向において交互に前記剥離剤が塗布されている、請求項１に記載の粘着ラベル貼付部形成用シール。
【請求項３】
隣接する各列の前記剥離用凸部が、前後に位置をずらして配置されている、請求項２に記載の粘着ラベル貼付部形成用シール。
【考案の詳細な説明】
【技術分野】
【０００１】
本考案は、コンテナ等の所定の部材表面に粘着ラベルを剥離自在に貼付するための部分を形成するのに好適な粘着ラベル貼付部形成用シールに関するものである。
【背景技術】
【０００２】
食品メーカーからスーパー、コンビニエンスストア等への流通段階において、牛乳、パン、豆腐等の商品は、商品の種類、数量、配送先等を記載した粘着ラベルが貼付されたコンテナに入れて運ばれる。コンテナは再利用されるため、利用するたびに商品等に応じた粘着ラベルを貼り替える必要があるが、粘着ラベルには、輸送中に剥離・脱落しないように、粘着力の高い粘着材が使用されており、洗浄するだけでは粘着ラベルを剥がすことができず、人手により剥がさなければならないため、剥離作業に多くの時間を要してしまう。また、粘着ラベルを剥がさずにその上から重ねて貼る場合でも、粘着シールの厚さが増大するため、重ね貼りをする枚数に限界があるという問題があった。
【０００３】
このような問題に対して、従来、粘着ラベルを容易に剥離することができるラベル貼着部形成用粘着シートとして、たとえば、特開平９−１１４３８３号公報には、基材層と粘着剤層とを有し、前記基材層の表面に他の粘着ラベルを貼着して使用するラベル貼着部形成用粘着シートであって、前記基材層の少なくとも表面に粘着ラベルの接着面積を減少させる加工が施されているラベル貼着部形成用粘着シートが開示されている（特許文献１）。
【先行技術文献】
【特許文献】
【０００４】
【特許文献１】特開平９−１１４３８３号公報
【考案の概要】
【考案が解決しようとする課題】
【０００５】
しかしながら、特許文献１に記載された発明において、粘着ラベルを全面で貼付する場合と比較して、粘着ラベルを容易に剥離できるとはいえ、粘着ラベルを剥がす際に力やコツが必要だったり、粘着ラベルの粘着力が強いほど、剥がす際に破れ易くなり再利用できなくなってしまうという問題がある。
【０００６】
そこで、本考案は、このような問題点を解決するためになされたものであって、輸送中等の粘着ラベル貼付時には粘着ラベルが剥離・脱落することなく、かつ、粘着ラベルを剥がす際には粘着ラベルを軽い力で簡単に剥がすことができ、さらに、剥がした粘着ラベルが破れることなく粘着ラベルを再利用することができる、粘着ラベルを剥離自在に貼付するための粘着ラベル貼付部形成用シールを提供することを目的としている。
【課題を解決するための手段】
【０００７】
本考案にかかる粘着ラベル貼付部形成用シールは、所望の部材の表面に粘着ラベルを剥離自在に貼付しうる部分を形成するためのシールであって、当該シールの表面には前記粘着ラベルの粘着面との接触面積を低減する微小な剥離用凸部が複数個整列して形成されているとともに、前記各剥離用凸部のうち一部の剥離用凸部の表面に前記粘着ラベルを剥離しやすくする剥離剤が塗布されている。
【０００８】
そして、本考案の一態様として、前記複数の剥離用凸部は所定の方向に沿って複数列に整列されており、各列の前記剥離用凸部は当該方向において交互に前記剥離剤が塗布されていてもよい。
【０００９】
さらに、本考案の一態様として、隣接する各列の前記剥離用凸部が、前後に位置をずらして配置されてもよい。
【考案の効果】
【００１０】
本考案の粘着ラベル貼付部形成用シールによれば、輸送中等の粘着ラベル貼付時には粘着ラベルが剥離・脱落することなく、粘着ラベルを剥がす際には粘着ラベルを軽い力で簡単に剥がすことができる。また、剥がした粘着ラベルが破れることなく、粘着ラベルを再利用することができる。
【図面の簡単な説明】
【００１１】
【図１】本実施形態の粘着ラベル貼付部形成用シールの一実施形態を示す平面図である。
【図２】図１の２Ａ−２Ａ線断面図である。
【図３】本実施形態の粘着ラベル貼付部形成用シールの剥離用凸部に剥離剤を塗布するための剥離剤塗布用型の平面図である。
【考案を実施するための形態】
【００１２】
以下、本考案に係る粘着ラベル貼付部形成用シールの一実施形態について図面を用いて説明する。
【００１３】
なお、本考案において、シールとは、裏面に粘着材を塗布したシート状のものであって、樹脂製や紙製等のあらゆる素材により構成されているものを含む概念である。また、粘着ラベルとは、表面に絵や文字、バーコード等の情報が印刷又は記載され、裏面に粘着材が塗布されたものであって、樹脂製や紙製等のあらゆる素材のものを含み、商品名表示用や配送先表示用等のあらゆる用途のものを含む概念である。また、剥離剤とは、ワニスのような粘着ラベルの剥離を容易にするための各種の溶剤等を含む概念である。
【００１４】
本実施形態に係る粘着ラベル貼付部形成用シール１は、コンテナ６に貼付することによって粘着ラベル５を貼付する土台となるものであって、図１および図２に示すように、主として、基材層２と、粘着材層３とから構成されており、前記基材層２の表面には凸状に形成された剥離用凸部４が複数形成されているとともに、これらの剥離用凸部４の一部表面に剥離剤が塗布されて剥離剤塗布部４１が形成されている。そして、前記基材層２に剥離用凸部４が形成されることにより粘着ラベル貼付部１１のエリアが定められる。以下、各構成について説明する。
【００１５】
基材層２は、粘着ラベル貼付部１１を形成するための基材となるものである。基材層２の材質は、粘着ラベル５を貼付することが可能であるとともに、粘着ラベル５を剥離することが可能であって、さらに、剥離用凸部４を形成することができるものであればよく、例えば、ポリエチレン等の樹脂が挙げられる。本実施形態ではポリエチレンシートで構成されている。
【００１６】
粘着材層３は、本実施形態の粘着ラベル貼付部形成用シール１をコンテナ６に貼付するためのものであり、基材層２の裏面に形成されている。粘着材層３は、主に粘着材で構成されており、当該粘着材は輸送中に粘着ラベル貼付部形成用シール１がコンテナ６から剥離・脱落せず、かつ、コンテナ６を洗浄しても剥がれない粘着力を有するものであればよい。例えば、シリコン系粘着材が挙げられるが、コンテナ６の材質等によって適宜変更可能である。
【００１７】
剥離用凸部４は、粘着ラベル５の粘着面との接触面積を低減させ、粘着ラベル５を剥離し易くするためのものである。本実施形態における剥離用凸部４は基材層２の表面を金型により突出成形されており、各剥離用凸部４の大きさは、直径１〜１．５ｍｍ程度、高さ０．３ｍｍ程度の微小なものであり、各々の剥離用凸部４は、互いに１ｍｍ程度の間隔をもって、縦方向および横方向に沿って複数列に整列されている。また、図１に示すように、隣接する各列の剥離用凸部４は前後に位置をずらして配置されている。なお、剥離用凸部４の大きさ及び各剥離用凸部４の間隔は、上記に限定されるものではなく、粘着ラベル５の大きさおよび粘着力等に応じて適宜変更してもよい。また、剥離用凸部４の配置は、上記構成に限定されるものではなく、所定の方向に沿って整列されていてもよく、逆に所定の方向に沿って整列されていなくてもよい。
【００１８】
剥離剤塗布部４１は、剥離用凸部４の表面に剥離剤を塗布したものであって、粘着ラベル５をより剥離し易くするためのものである。本実施形態において、各列の前記剥離用凸部４は、図２に示すように、縦方向において交互に剥離剤が塗布された状態、すなわち、縦列における剥離剤塗布部４１は一つおきに配置されている。なお、剥離剤塗布部４１の配置は、上記に限定されるものではなく、各剥離用凸部４のうち一部の剥離用凸部４の表面に剥離剤が塗布されていればよく、例えば、ランダムなものとしてもよい。なお、全ての剥離用凸部４の表面に剥離剤を塗布すると、粘着ラベル５の粘着力が必要以上に低下し、輸送中等における剥離・脱落のおそれが高まるため注意が必要である。
【００１９】
剥離剤塗布部４１において塗布される剥離剤として、例えば、ワニスが挙げられるが、粘着ラベル５をより剥離し易くするものであればよい。
【００２０】
粘着ラベル貼付部１１は、粘着ラベル５が貼付されるエリアであって、図１に示すように、基材層２に形成された微小な剥離用凸部４を略矩形状のエリアに複数個配列することにより構成されている。
【００２１】
つぎに、本実施形態に係る粘着ラベル貼付部形成用シール１による作用について、図１および図２を参照しつつ説明する。
【００２２】
本実施形態の粘着ラベル貼付部形成用シール１を使用する場合、粘着ラベル貼付部形成用シール１をコンテナ６に貼付することによって、粘着ラベル貼付部１１を形成し、粘着ラベル貼付部１１に粘着ラベル５を貼付する。これにより粘着ラベル貼付部１１と粘着ラベル５の粘着面との接触面積が低減され、かつ、一部の剥離用凸部４には、前記粘着ラベルを剥離しやすくする剥離剤が塗布された剥離剤塗布部４１が配されているため、輸送中等の剥離・脱落を防止する粘着力を維持しながら再剥離性が向上し、粘着ラベル５の貼り替え作業や貼り付け位置の調整作業が簡単にできる。また、剥がした粘着ラベル５が破れにくいため、粘着ラベル５を再利用することが可能となる。
【００２３】
また、本実施形態では、所定の方向に沿って複数列に整列された各列の剥離用凸部４が、当該方向において交互に剥離剤が塗布されているため、粘着ラベル５を剥離し易くする剥離剤塗布部４１が各列において均等に配置され、どの部分からでもほぼ同様の軽い力で剥がすことが可能となる。さらに、本実施形態では、隣接する各列の剥離用凸部４が、前後に位置をずらして配置されているため、粘着ラベル貼付部１１全体に渡って、剥離剤塗布部４１がほぼ均等に配置され、再剥離性が均等化される。
【００２４】
つぎに、本実施形態に係る粘着ラベル貼付部形成用シール１の製造方法について説明する。
【００２５】
あらかじめ、粘着ラベル貼付部形成用シール１を形成するための剥離紙を貼付したシールと、図３に示すような剥離剤塗布用型７と、剥離用凸部形成用型（図示せず）とを用意しておく。
【００２６】
剥離剤塗布用型７は、基材層２の表面に剥離剤を塗布して剥離剤塗布部４１を形成するための成形型である。図３に示すように、剥離剤塗布用型７には、基材層２の表面に剥離剤を塗布するために所定の間隔を隔てて凸状の塗布用凸部７１が形成されており、この塗布用凸部７１にローラー等を用いて剥離剤を塗布し、基材層２の上から前記剥離剤塗布用型７を重ね合わせて粘着ラベル貼付部形成用シール１の剥離剤塗布部４１を形成するようになっている。
【００２７】
剥離用凸部形成用型は、剥離用凸部４を形成するためのものである。剥離用凸部形成用型は、剥離用凸部４の形状をかたどったもので、二枚一組となっており、基材層２および粘着材層４を上下から挟んで剥離用凸部４を突出形成するようになっている。
【００２８】
剥離剤塗布用型７と剥離用凸部形成用型は、出来上がった粘着ラベル貼付部形成用シール１の剥離剤塗布部４１と一部の剥離用凸部４の位置が重なるように、塗布用凸部７１と剥離用凸部４の型の位置があらかじめ調整されている。
【００２９】
粘着ラベル貼付部形成用シール１を製造するために、まず、塗布用凸部７１に剥離剤を塗布した剥離剤塗布用型７を剥離紙を貼付したシールの上に重ねて、剥離紙を貼付したシール上に剥離剤塗布部４１を形成する。つぎに、剥離剤塗布部４１が形成された剥離紙を貼付したシールを一組の剥離用凸部形成用型の間で挟んで押圧し、剥離用凸部４を形成し、粘着ラベル貼付部形成用シール１が完成する。これにより剥離用凸部４の表面上に、位置がずれることなく剥離剤塗布部４１を形成することができるとともに、複数の剥離剤塗布部４１を一度に形成することができる。なお、粘着ラベル貼付部形成用シール１の製造方法は、上記に限定されるものではなく、他の方法で製造してもよい。
【００３０】
以上のように、本考案によれば、粘着ラベル貼付時には輸送中に粘着ラベルが剥離・脱落することなく、粘着ラベルを剥がす際には粘着ラベルを力を入れずに軽く剥がすことができる。また、剥がした粘着ラベルが破れることなく、粘着ラベルを再利用することができる。
【００３１】
なお、本考案に係る粘着ラベル貼付部形成用シール１は、前述した実施形態に限定されるものではなく、適宜変更することができる。例えば、本実施態様においては、粘着ラベル貼付部１１の形状を略矩形状としたが、粘着ラベル５の形状等に応じて、粘着ラベル貼付部１１の形状を正方形、円形、楕円形等、適宜変更してもよい。また、粘着ラベル貼付部１１を含む粘着ラベル貼付部形成用シール１の形状や大きさも、粘着ラベル５またはコンテナ６の形状や大きさ等の条件に応じて適宜変更してもよい。
【符号の説明】
【００３２】
１  粘着ラベル貼付部形成用シール
１１  粘着ラベル貼付部
２  基材層
３  粘着材層
４  剥離用凸部
４１  剥離剤塗布部
５  粘着ラベル
６  コンテナ
７  剥離剤塗布用型
７１  塗布用凸部
【図１】
0003178777.tif 000003
【図２】
0003178777.tif 000004
【図３】
0003178777.tif 000005